(57)【要約】      （修正有）【課題】配電盤の試験配線を容易に切替えることが可能な配線切替装置を提供する。【解決手段】配電盤１００に装着可能な第１の試験プラグ６０の各端子とそれぞれ接続可能な複数の第１の切替スイッチ１１〜１４と、前記配電盤に装着可能な第２の試験プラグ７０の各端子とそれぞれ接続可能な複数の第２の切替スイッチ２１〜２４と、第１の切替スイッチと第２の切替スイッチとを複数の配線を介して電気的に接続するとともに、第１の試験プラグと第２の試験プラグとを介して前記配電盤の模擬試験を行う試験器５０が接続可能な電気回路網とを備え、第１の切替スイッチと第２の切替スイッチは、可動接点とこの可動接点と接触可能な複数の固定接点を有しており、電気回路網は、第１の切替スイッチと第２の切替スイッチの可動接点の切替操作による複数の配線の組み合わせにより第１の試験プラグと第２の試験プラグと試験器との接続回路が切替可能に構成される。【選択図】図１
2011130612.tif 000002
【特許請求の範囲】
【請求項１】
配電盤に装着可能な第１の試験プラグの各端子とそれぞれ接続可能な複数の第１の切替スイッチと、
前記配電盤に装着可能な第２の試験プラグの各端子とそれぞれ接続可能な複数の第２の切替スイッチと、
前記第１の切替スイッチと前記第２の切替スイッチとを複数の配線を介して電気的に接続するとともに、前記第１の試験プラグと前記第２の試験プラグとを介して前記配電盤の模擬試験を行う試験器が接続可能な電気回路網と、
を備え、
前記第１の切替スイッチと前記第２の切替スイッチは、可動接点と該可動接点と接触可能な複数の固定接点を有しており、前記電気回路網は、前記第１の切替スイッチと前記第２の切替スイッチの前記可動接点の切替操作による前記複数の配線の組み合わせにより前記第１の試験プラグと前記第２の試験プラグと前記試験器との接続回路が切替可能に構成されていることを特徴とする配線切替装置。
【請求項２】
前記第１の切替スイッチと前記第２の切替スイッチが設けられるケースの上面には、前記電気回路網の配線図が表示されていることを特徴とする請求項１に記載の配線切替装置。
【発明の詳細な説明】
【技術分野】
【０００１】
この発明は、配電盤の模擬試験における接続回路を容易に切替えることが可能な配線切替装置に関する。
【背景技術】
【０００２】
送電系統に接続されている配電盤については、定期点検や機器の交換時に作動確認のために模擬試験が行われる。模擬試験においては、配電盤に試験プラグを装着し、試験プラグを介して接続される試験器で異常の有無を確認している。
【０００３】
模擬試験においては、試験器には送電線側に設けられる計器用変流器２次（ＣＴ２次回路）から赤相（Ｒ相）、白相（Ｓ相）、青相（Ｔ相）、黒相（Ｅ相）の電流信号がＣＴＴ（試験用電流プラグ）を介して取り込まれる。配電盤であるＢＰ（Ｂｒａｃｋｅｔ  Ｐａｎｅｌ）盤においては、一括および分割用のＣＴＴを有する場合、ＢＰ盤にこれらのＣＴＴを装着して模擬試験を実施する。
【０００４】
図１０（ａ）は、赤白相の模擬試験の場合のＣＴＴと試験器との接続例を示している。この場合では、一括用ＣＴＴ６０の白相と分割用ＣＴＴ７０の赤相とが接続される。そして、一括用ＣＴＴ６０の赤相と分割用ＣＴＴ７０の白相が試験器５０に接続される。図１０（ｂ）は、白青相の模擬試験の場合の接続を示している。この場合は、一括用ＣＴＴ６０の青相と分割用ＣＴＴ７０の白相とが接続される。そして、一括用ＣＴＴ６０の白相と分割用ＣＴＴ７０の青相が試験器５０に接続される。図１０（ｃ）は、青赤相の模擬試験の場合の接続を示している。この場合は、一括用ＣＴＴ６０の赤相と分割用ＣＴＴ７０の青相とが接続される。そして、一括用ＣＴＴ６０の青相と分割用ＣＴＴ７０の赤相が試験器５０に接続される。
【０００５】
図１１（ａ）は、赤黒相の模擬試験の場合の接続を示している。この場合では、一括用ＣＴＴ６０の黒相と分割用ＣＴＴ７０の赤相とが接続される。そして、一括用ＣＴＴ６０の赤相と分割用ＣＴＴ７０の黒相が試験器５０に接続される。図１１（ｂ）は、白黒相の模擬試験の場合の接続を示している。この場合は、一括用ＣＴＴ６０の黒相と分割用ＣＴＴ７０の白相とが接続される。そして、一括用ＣＴＴ６０の白相と分割用ＣＴＴ７０の黒相が試験器５０に接続される。図１０（ｃ）は、青黒相の模擬試験の場合の接続を示している。この場合は、一括用ＣＴＴ６０の黒相と分割用ＣＴＴ７０の青相とが接続される。そして、一括用ＣＴＴ６０の青相と分割用ＣＴＴ７０の赤相が試験器５０に接続される。
【０００６】
図１２（ａ）は、相間の電圧を測定する模擬試験の接続例を示している。試験器５０には送電線側に設けられる計器用変圧器２次（ＰＴ２次回路）から赤相（Ｒ相）、白相（Ｓ相）、青相（Ｔ相）、黒相（Ｅ相）の電圧信号がＰＴＴ（試験用電圧プラグ）を介して取り込まれる。この場合では、甲母線ＰＴＴ８０の赤相と乙母線ＰＴＴ９０の赤相とが接続され、甲母線ＰＴＴ８０の青相と乙母線ＰＴＴ９０の青相とが接続される。また、甲母線ＰＴＴ８０の白相と乙母線ＰＴＴ９０の白相とが接続され、甲母線ＰＴＴ８０の黒相と乙母線ＰＴＴ９０の黒相とが接続される。そして、甲母線ＰＴＴ８０の赤、青、白、黒相が試験器５０に接続される。図１２（ｂ）は、甲母線のみからの信号を試験器５０に入力したい場合の接続を示している。この場合は、わたり配線Ｗを外している。図１２（ｃ）は、乙母線のみからの信号を試験器５０に入力したい場合の接続を示している。この場合は、わたり配線Ｗを外し、試験器５０からの配線を実施している。
【０００７】
従来から、電力系統の各相の切り替えを行う装置は知られている（例えば、特許文献１参照。）。この装置は、電圧切替用のカムスイッチと、電流切替用のカムスイッチを有しており、ハンドルで４５度ごとに回転させることにより、回路の開路または閉路を行っている。
【先行技術文献】
【特許文献】
【０００８】
【特許文献１】特開２００７−２３２５５４号公報
【発明の概要】
【発明が解決しようとする課題】
【０００９】
しかし、上記の試験プラグを用いた模擬試験は、試験の種類が異なる毎に、ＣＴＴ６０、７０およびＰＴＴ８０、９０と試験器５０との接続をやり直さなければならず、作業能率が悪いという問題がある。また、電圧が印加されている状態で行われる模擬試験作業においては、接続作業に相当の注意を必要とする。特許文献１の装置は、カムスイッチをハンドルで４５度ごとに回転させることにより回路を切替えるので、図１０〜図１２に示す模擬試験には適用するのが難しい。したがって、配電盤の模擬試験について、接続回路の種類が多い場合でも接続回路を容易に切替えることができる装置の開発が望まれる。
【００１０】
そこでこの発明は、配電盤の模擬試験における接続回路を容易に切替えることが可能な配線切替装置を提供することを目的とする。
【課題を解決するための手段】
【００１１】
上記目的を達成するために請求項１に記載の発明は、配電盤に装着可能な第１の試験プラグの各端子とそれぞれ接続可能な複数の第１の切替スイッチと、前記配電盤に装着可能な第２の試験プラグの各端子とそれぞれ接続可能な複数の第２の切替スイッチと、前記第１の切替スイッチと前記第２の切替スイッチとを複数の配線を介して電気的に接続するとともに、前記第１の試験プラグと前記第２の試験プラグとを介して前記配電盤の模擬試験を行う試験器が接続可能な電気回路網と、を備え、前記第１の切替スイッチと前記第２の切替スイッチは、可動接点と該可動接点と接触可能な複数の固定接点を有しており、前記電気回路網は、前記第１の切替スイッチと前記第２の切替スイッチの前記可動接点の切替操作による前記複数の配線の組み合わせにより前記第１の試験プラグと前記第２の試験プラグと前記試験器との接続回路が切替可能に構成されていることを特徴とする配線切替装置である。
【００１２】
この発明によれば、第１の切替スイッチと第２の切替スイッチの操作を適宜行うことにより、第１の試験プラグと第２の試験プラグと試験器は、各切替スイッチの可動接点の切替動作に基づく複数の配線の組み合わせによって所望の接続回路を介して接続される。
【００１３】
請求項２に記載の発明は、請求項１に記載の配線切替装置において、前記第１の切替スイッチと前記第２の切替スイッチが設けられるケースの上面には、前記電気回路網の配線図が表示されていることを特徴としている。
【発明の効果】
【００１４】
請求項１に記載の発明によれば、種々の切替回路を構成することが可能になるので、模擬試験の種類が異なる場合でも第１の切替スイッチと第２の切替スイッチのみを操作するだけで、試験プラグと試験器との配線作業を完了することができる。したがって、模擬試験の種類が多い場合でも短時間で試験回路の配線作業ができ、模擬試験の作業能率を高めることができる。また、従来に比べて模擬試験における手作業による配線作業が極めて少なくなるので、感電に対する安全性を高めることができる。
【００１５】
請求項２に記載の発明によれば、第１の切替スイッチと第２の切替スイッチが設けられるケースの上面に電気回路網の配線図が表示されているので、配線図を見ながら各切替スイッチを操作することができ、各切替スイッチの誤操作を防止することができる。
【図面の簡単な説明】
【００１６】
【図１】本発明の実施の形態に係わる配線切替装置の使用方法を示す斜視図である。
【図２】図１の配線切替装置の平面図である。
【図３】図１の配線切替装置とＣＴＴとを用いた送電系統の赤白相についての模擬試験の際の電気回路網の接続図である。
【図４】図１の配線切替装置とＣＴＴとを用いた送電系統の白青相についての模擬試験の際の電気回路網の接続図である。
【図５】図１の配線切替装置とＣＴＴとを用いた送電系統についての青赤相の模擬試験の際の電気回路網の接続図である。
【図６】図１の配線切替装置とＣＴＴとを用いた送電系統についての赤黒相の模擬試験の際の電気回路網の接続図である。
【図７】図１の配線切替装置とＣＴＴとを用いた送電系統についての白黒相の模擬試験の際の電気回路網の接続図である。
【図８】図１の配線切替装置とＣＴＴとを用いた送電系統の青黒相の模擬試験の際の電気回路網の接続図である。
【図９】図１の配線切替装置とＰＴＴとを用いた送電系統についての甲側および乙側の模擬試験の際の電気回路網の接続図である。
【図１０】従来の模擬試験におけるＣＴＴと試験器との接続の一例を示す配線図である。
【図１１】従来の模擬試験におけるＣＴＴと試験器との接続の別の例を示す配線図である。
【図１２】従来の模擬試験におけるＰＴＴと試験器との接続の例を示す配線図である。
【発明を実施するための形態】
【００１７】
つぎに、この発明の実施の形態について図面を用いて詳しく説明する。
【００１８】
図１ないし図９は、この発明の実施の形態を示している。図１に示すように、配線切替装置１は、携帯可能な箱形のケース２を有している。ケース２の上面の左側端部には、複数の第１の切替スイッチ１１〜１４が取付けられている。第１の切替スイッチ１１〜１４は、図３に示すように複数の固定接点ａ〜ｃと可動接点ｅを有するトグルスイッチから構成されている。ケース２の上面の右側端部には、複数の第２の切替スイッチ２１〜２４が取付けられている。第２の切替スイッチ２１〜２４は、図３に示すように複数の固定接点ａ〜ｃと可動接点ｅを有するトグルスイッチから構成されている。
【００１９】
ケース２内からは、ケース２の左側面２ｂを貫通して接続用コード１０が外方に延びている。接続用コード１０は、４本の電線１０ａ〜１０ｄを有している。４本の電線１０ａ〜１０ｄは、一方が第１の切替スイッチ１１〜１４にそれぞれ接続されている。４本の電線１０ａ〜１０ｄの他方は、第１の試験プラグとしての一括用ＣＴＴ６０に接続可能となっている。一括用ＣＴＴ６０は、基盤部６０ａにＲ相、Ｓ相，Ｔ相，Ｅ相の端子を有している。一括用ＣＴＴ６０は、配電盤１００の挿入口１００ａに挿入可能な板状の挿入部６０ｂを有している。
【００２０】
ケース２内からは、ケース２の右側面２ｃを貫通して接続用コード２０が外方に延びている。接続用コード２０は、４本の電線２０ａ〜２０ｄを有している。４本の電線２０ａ〜２０ｄは、一方が第２の切替スイッチ２１〜２４にそれぞれ接続されている。４本の電線２０ａ〜２０ｄの他方は、第２の試験プラグとしての分割用ＣＴＴ７０に接続可能となっている。分割用ＣＴＴ７０は、一括用ＣＴＴ６０と同じ構造をしており、基盤部７０ａにＲ相、Ｓ相，Ｔ相，Ｅ相の端子を有している。分割用ＣＴＴ７０は、配電盤１００の挿入口１００ｂに挿入可能な板状の挿入部７０ｂを有している。
【００２１】
ケース２内からは、ケース２の前面壁を貫通して接続用コード３５が外方に延びている。接続用コード３５は、４本の配線３５ａ〜３５ｄを有している。４本の配線３５ａ〜３５ｄは、配電盤１００の模擬試験を行う試験器５０に接続可能となっている。
【００２２】
図３は、ケース２内の配線構造を示している。ここで、第１の切替スイッチ１１〜１４と第２の切替スイッチ２１〜２４とを接続する電気回路網３０の接続関係について説明する。電気回路網３０は、図３に示すように複数の配線３０ａ〜３５ｄを有している。第１の切替スイッチ１１の第１の固定接点ａと第２の切替スイッチ２１の第１の固定接点ａは、配線３１ａを介して接続されている。第１の切替スイッチ１１の第２の固定接点ｂと第２の切替スイッチ２２の第２の固定接点ｂは、配線３１ｂを介して接続されている。第１の切替スイッチ１２の第１の固定接点ａと第２の切替スイッチ２２の第１の固定接点ａは、配線３２ａを介して接続されている。第１の切替スイッチ１２の第２の固定接点ｂと第２の切替スイッチ２２の第２の固定接点ｂは、配線３２ｂを介して接続されている。
【００２３】
第１の切替スイッチ１３の第１の固定接点ａと第２の切替スイッチ２３の第１の固定接点ａは、配線３３ａを介して接続されている。第１の切替スイッチ１３の第２の固定接点ｂと第２の切替スイッチ２３の第２の固定接点ｂは、配線３３ｂを介して接続されている。第１の切替スイッチ１４の第１の固定接点ａと第２の切替スイッチ２４の第１の固定接点ａは、配線３４ａを介して接続されている。第１の切替スイッチ１４の第２の固定接点ｂと第２の切替スイッチ２４の第２の固定接点ｂは、配線３４ｂを介して接続されている。
【００２４】
ここで、各切替スイッチ１１〜２４における各接点の構造は同一であるの、第１の切替スイッチ１１と第２の切替スイッチ２１を用いてその構造および接点の接続関係について説明する。図３に示すように、第１の切替スイッチ１１と第２の切替スイッチ２１は、上述したように、それぞれ固定接点ａ〜ｃおよび可動接点ｅを有している。このうち、第１の切替スイッチ１１の第３の固定接点ｃと第２の切替スイッチ２１の第３の固定接点ｃは、他のいずれの配線に対しても接続されていない。第１の切替スイッチ１１と第２の切替スイッチ２１の可動接点ｅは、各固定接点ａ〜ｃのそれぞれと接触可能となっており、それぞれのポジションに停止可能となっている。すなわち、第１の切替スイッチ１１と第２の切替スイッチ２１の可動接点ｅは、スイッチレバーを操作することにより、第１の固定接点（入）ａと、第２の固定接点（Ｎ）ｂと、第３の固定接点（切）ｃのいずれかに対して接触可能となっている。このように、各切替スイッチ１１〜２４では、可動接点ｅと第１の固定接点ａと第２の固定接点ａが電気信号の通過経路となっており、第３の固定接点（切）ｃのみが電気信号の通過経路として機能しない。
【００２５】
一括用ＣＴＴ６０と接続される接続用コード１０のうち電線１０ａは、第１の切替スイッチ１１の可動接点ｅに接続されており、電線１０ｂは第１の切替スイッチ１２の可動接点ｅに接続されている。同様に、電線１０ｃは第１の切替スイッチ１３の可動接点ｅに接続されており、電線１０ｄは第１の切替スイッチ１４の可動接点ｅに接続されている。分割用ＣＴＴ７０と接続される接続用コード２０のうち電線２０ａは、第２の切替スイッチ２１の可動接点ｅに接続されており、電線２０ｂは第２の切替スイッチ２２の可動接点ｅに接続されている。同様に、電線２０ｃは第２の切替スイッチ２３の可動接点ｅに接続されており、電線２０ｄは第２の切替スイッチ２４の可動接点ｅに接続されている。
【００２６】
つぎに、電気回路網３０における配線３１ａ〜配線３４ｂに対する試験器５０との接続関係について説明する。図３に示すように、第１の切替スイッチ１１と第２の切替スイッチ２１とを接続する配線３１ａには、配線３５ａが接続されている。配線３５ａは、試験器５０のＲ相に接続可能となっている。第１の切替スイッチ１２と第２の切替スイッチ２２とを接続する配線３２ａには、配線３５ｂが接続されている。配線３５ｂは、試験器５０のＳ相に接続可能となっている。第１の切替スイッチ１３と第２の切替スイッチ２３とを接続する配線３３ａには、配線３５ｃが接続されている。配線３５ｃは、試験器５０のＴ相に接続可能となっている。第１の切替スイッチ１４と第２の切替スイッチ２４とを接続する配線３４ａには、配線３５ｄが接続されている。配線３５ｄは、試験器５０のＥ相に接続可能となっている。
【００２７】
このように、電気回路網３０は、第１の切替スイッチ１１〜１４と第２の切替スイッチ２１〜２４の可動接点ｅの切替操作による複数の配線３０ａ〜３５ｄの組み合わせにより一括用ＣＴＴ６０と分割用ＣＴＴ７０と試験器５０との接続回路が切替可能に構成されている。第１の切替スイッチ１１〜１４と第２の切替スイッチ２１〜２４が設けられるケース２の上面２ａには、電気回路網３０の配線図３が表示されている。
【００２８】
つぎに、配線切替装置１の使用手順および作用について説明する。
【００２９】
試験器５０による模擬試験を開始するに際し、まず配線切替装置１の接続用コード１０の電線１０ａ〜１０ｄを一括用ＣＴＴ６０の各端子Ｒ〜Ｅに接続し、接続用コード２０の電線２０ａ〜２０ｄを分割用ＣＴＴ７０の各端子Ｒ〜Ｅに接続する。その後、接続用コード３５の４本の配線３５ａ〜３５ｄを配電盤１００の故障模擬試験を行う試験器５０に接続する。そして、一括用ＣＴＴ６０を配電盤１００の挿入口１００ａに挿入し、分割用ＣＴＴ７０を配電盤１００の挿入口１００ｂに挿入することにより、模擬試験の準備が完了する。
【００３０】
つぎに、模擬試験の種類に応じて第１の切替スイッチ１１〜１４と第２の切替スイッチ２１〜２４を操作する。図３は、試験器５０に対する各ＣＴＴ６０、７０による電力系の赤白相の入力の場合の切り替え回路を示しており、図１０（ａ）の従来技術に対応するものである。この場合は、図３に示すように、第１の切替スイッチ１３、１４と第２の切替スイッチ２３、２４の可動接点ｅを第３の固定接点（切）ｃ側に位置させ、第１の切替スイッチ１１、１２と第２の切替スイッチ２１、２２を所定のポジジョンとなるように操作することにより、配電盤１００を介して流れる信号は、点線で示すように試験器５０のＲ相およびＳ相のみに入力される。
【００３１】
図４は、試験器５０に対する各ＣＴＴ６０、７０による電力系統の白青相の入力の場合の切り替え回路を示しており、図１０（ｂ）の従来技術に対応するものである。この場合は、図４に示すように、第１の切替スイッチ１１、１４と第２の切替スイッチ２１、２４の可動接点ｅを第３の固定接点（切）ｃ側に位置させ、第１の切替スイッチ１２、１３と第２の切替スイッチ２２、２３を所定のポジジョンとなるように操作することにより、配電盤１００を介して流れる信号は、点線で示すように試験器５０のＳ相およびＴ相のみに入力される。
【００３２】
図５は、試験器５０に対する各ＣＴＴ６０、７０による電力系の青赤相の入力の場合の切り替え回路を示しており、図１０（ｃ）の従来技術に対応するものである。この場合は、図５に示すように、第１の切替スイッチ１２、１４と第２の切替スイッチ２２、２４の可動接点ｅを第３の固定接点（切）ｃ側に位置させ、第１の切替スイッチ１１、１３と第２の切替スイッチ２１、２３を所定のポジジョンとなるように操作することにより、配電盤１００を介して流れる信号は、点線で示すように試験器５０のＲ相およびＴ相のみに入力される。
【００３３】
図６は、試験器５０に対する各ＣＴＴ６０、７０による電力系統の赤黒相の入力の場合の切り替え回路を示しており、図１１（ａ）の従来技術に対応するものである。この場合は、図６に示すように、第１の切替スイッチ１２、１３と第２の切替スイッチ２２、２３の可動接点ｅを第３の固定接点（切）ｃ側に位置させ、第１の切替スイッチ１１、１４と第２の切替スイッチ２１、２４を所定のポジジョンとなるように操作することにより、配電盤１００を介して流れる信号は、点線で示すように試験器５０のＲ相およびＥ相のみに入力される。
【００３４】
図７は、試験器５０に対する各ＣＴＴ６０、７０による電力系統の白黒相の入力の場合の切り替え回路を示しており、図１１（ｂ）の従来技術に対応するものである。この場合は、図７に示すように、第１の切替スイッチ１１、１３と第２の切替スイッチ２１、２３の可動接点ｅを第３のを固定接点（切）ｃ側に位置させ、第１の切替スイッチ１２、１４と第２の切替スイッチ２２、２４を所定のポジジョンとなるように操作することにより、配電盤１００を介して流れる信号は、点線で示すように試験器５０のＳ相およびＥ相のみに入力される。
【００３５】
図８は、試験器５０に対する各ＣＴＴ６０、７０による送電系統の青黒相の入力の場合の切り替え回路を示しており、図１１（ｃ）の従来技術に対応するものである。この場合は、図８に示すように、第１の切替スイッチ１１、１２と第２の切替スイッチ２１、２２の可動接点ｅを第３の固定接点（切）ｃ側に位置させ、第１の切替スイッチ１３、１４と第２の切替スイッチ２３、２４を所定のポジジョンとなるように操作することにより、配電盤１００を介して流れる信号は、点線で示すように試験器５０のＴ相およびＥ相のみに入力される。
【００３６】
図９は、試験器５０に対するＰＴＴ８０、９０による送電系統の甲相と乙相の入力の場合の切り替え回路を示しており、図１２（ａ）の従来技術に対応するものである。この場合は、図９に示すように、第１の切替スイッチ１１〜１４と第２の切替スイッチ２１〜２４の可動接点ｅをすべて第１の固定接点（入）ａ側に位置させるように操作することにより、配電盤１００側を介して送電系統の各相間の電圧を試験器５０によって確認することが可能となる。この模擬試験の場合は、一括用ＣＴＴ６０と分割用ＣＴＴ７０に代えて、図１２と同様にＰＴＴ８０とＰＴＴ９０が用いられる。
【００３７】
このように、配線切替装置１は、種々の切替回路を構成することが可能になるので、模擬試験の種類が異なる場合でも第１の切替スイッチ１１〜１４と第２の切替スイッチ２１〜２４のみを操作するだけで、一括用ＣＴＴ６０および分割用ＣＴＴ７０と試験器５０との配線作業を完了することができる。したがって、模擬試験の種類が多い場合でも短時間で試験回路の配線作業ができ、模擬試験の作業能率を高めることができる。また、従来に比べて模擬試験における手作業による配線作業が極めて少なくなるので、感電に対する安全性を高めることができる。さらに、第１の切替スイッチ１１〜１４と第２の切替スイッチ２１〜２４が設けられるケース２の上面２ａに電気回路網３０の配線図３が表示されているので、配線図３を見ながら各切替スイッチを操作することができ、各切替スイッチの誤操作を防止することができる。
【００３８】
以上、この発明の実施の形態を詳述してきたが、具体的な構成は上記の実施の形態に限られるものではなく、この発明の要旨を逸脱しない範囲の設計の変更等があっても、この発明に含まれる。例えば、この実施の形態においては、配線変更切替装置１の接続用コード３５の各配線３５ａ〜３５ｄを試験器５０に接続する構成としているが、試験器５０側に接続用コード３５を設け、配線変更切替装置１のケース２側に接続用コード３５の各配線３５ａ〜３５ｄを接続するための端子４を設ける構成としてもよい。また、ケース２の上面２ａに表示された配線図３の配線に沿って複数の発光ダイオード（ＬＥＤ）を配置し、試験の種類に応じて配線経路を自動的に点灯表示する構成としてもよい。
【符号の説明】
【００３９】
１              配線切替装置
２              ケース
３              配線図
１０            接続用コード
１１〜１４      第１の切替スイッチ
ａ〜ｃ          固定接点
ｅ              可動接点
２０            接続用コード
２１〜２４      第２の切替スイッチ
３０            電気回路網
３５            接続用コード
５０            試験器
６０            第１の試験プラグ（一括用ＣＴＴ）
７０            第２の試験プラグ（分割用ＣＴＴ）
８０            第１の試験プラグ（ＰＴＴ）
９０            第２の試験プラグ（ＰＴＴ）
【図１】
2011130612.tif 000003
【図２】
2011130612.tif 000004
【図３】
2011130612.tif 000005
【図４】
2011130612.tif 000006
【図５】
2011130612.tif 000007
【図６】
2011130612.tif 000008
【図７】
2011130612.tif 000009
【図８】
2011130612.tif 000010
【図９】
2011130612.tif 000011
【図１０】
2011130612.tif 000012
【図１１】
2011130612.tif 000013
【図１２】
2011130612.tif 000014